(57)【要約】【目的】不正な傍受または妨害を試みる者に対して無線信号の受信自体を困難にでき、また、変更可能なパラメータを増すことができる、秘匿性および耐妨害性の高い無線通信システム、無線通信装置を提供することを目的とする。【構成】データをＭ個（Ｍは２以上の整数）のデータに変換する直並列変換手段とＭ個のデータをそれぞれ変調するマルチキャリア変調手段とを備える送信局と、Ｍ系統の変調信号をそれぞれ復調するマルチキャリア復調手段と復調されたＭ個のデータを１つのデータに変換する並直列変換手段とを備える受信局と、を有するマルチキャリア伝送システムにおいて、送信局および受信局は、Ｍの値、Ｍ系統の変調信号の各周波数、Ｍ系統の変調信号の各帯域幅、Ｍ系統の変調信号の各変調方式のうち少なくとも１つを通信中に変化させる制御手段を備える、ように構成する。【選択図】          図１
2004349787.tif 000002
【特許請求の範囲】
【請求項１】
データをＭ個（Ｍは２以上の整数）のデータに変換する直並列変換手段と、前記Ｍ個のデータをそれぞれ変調してＭ系統の変調信号を発生させるマルチキャリア変調手段と、を備える送信局と、
前記Ｍ系統の変調信号をそれぞれ復調するマルチキャリア復調手段と、前記復調されたＭ個のデータを１つのデータに変換する並直列変換手段と、を備える受信局と、
を有するマルチキャリア伝送システムにおいて、
前記送信局および前記受信局は、前記Ｍの値、前記Ｍ系統の変調信号の各周波数、前記Ｍ系統の変調信号の各帯域幅、前記Ｍ系統の変調信号の各変調方式のうち少なくとも１つを通信中に変化させる制御手段を備える、
ことを特徴とするマルチキャリア伝送システム。
【請求項２】
請求項１に記載のマルチキャリア伝送システムにおいて、
前記送信局は、さらに、データの順序を所定の周期で並べ替えこれを前記直並列変換手段に入力する可変インターリーブ手段を備え、
前記受信局は、さらに、前記可変インターリーブ手段における周期に対応して前記並直列変換手段から出力されたデータの順序を並び替える可変デインターリーブ手段を備え、
前記送信局および前記受信局における前記制御手段は、さらに、前記可変インターリーブ手段および前記可変デインターリーブ手段におけるデータの並べ替えの順序を通信中に変化させる、
ことを特徴とするマルチキャリア伝送システム。
【請求項３】
請求項１に記載のマルチキャリア伝送システムにおいて、
前記送信局は、さらに、データに所定の符号化方式で伝送路符号化を施しこれを前記直並列変換手段に入力する符号化手段を備え、
前記受信局は、さらに、前記符号化手段における符号化方式に対応して前記並直列変換手段から出力されたデータを復号する復号化手段を備え、
前記送信局および前記受信局における前記制御手段は、さらに、前記符号化方式を通信中に変化させる、
ことを特徴とするマルチキャリア伝送システム。
【請求項４】
請求項１に記載のマルチキャリア伝送システムにおいて、
前記送信局は、さらに、データを所定のスクランブル系列でスクランブルしこれを前記直並列変換手段に入力するスクランブル手段を備え、
前記受信局は、さらに、前記スクランブル手段におけるスクランブル系列に対応して前記並直列変換手段から出力されたデータをデスクランブルするデスクランブル手段を備え、
前記送信局および前記受信局における前記制御手段は、さらに、前記スクランブル系列を通信中に変化させる、
ことを特徴とするマルチキャリア伝送システム。
【請求項５】
請求項２に記載のマルチキャリア伝送システムにおいて、
前記送信局は、さらに、データに所定の符号化方式で伝送路符号化を施しこれを前記可変インターリーブ手段に入力する符号化手段を備え、
前記受信局は、さらに、前記符号化手段における符号化方式に対応して前記可変デインターリーブ手段から出力されたデータを復号する復号化手段を備え、
前記送信局および前記受信局における前記制御手段は、さらに、前記符号化方式を通信中に変化させる、
ことを特徴とするマルチキャリア伝送システム。
【請求項６】
請求項２に記載のマルチキャリア伝送システムにおいて、
前記送信局は、さらに、データを所定のスクランブル系列でスクランブルしこれを前記可変インターリーブ手段に入力するスクランブル手段を備え、
前記受信局は、さらに、前記スクランブル手段におけるスクランブル系列に対応して前記可変デインターリーブ手段から出力されたデータをデスクランブルするデスクランブル手段を備え、
前記送信局および前記受信局における前記制御手段は、さらに、前記スクランブル系列を通信中に変化させる、
ことを特徴とするマルチキャリア伝送システム。
【請求項７】
請求項５に記載のマルチキャリア伝送システムにおいて、
前記送信局は、さらに、データを所定のスクランブル系列でスクランブルしこれを前記符号化手段に入力するスクランブル手段を備え、
前記受信局は、さらに、前記スクランブル手段におけるスクランブル系列に対応して前記復号化手段から出力されたデータをデスクランブルするデスクランブル手段を備え、
前記送信局および前記受信局における前記制御手段は、さらに、前記スクランブル系列を通信中に変化させる、
ことを特徴とするマルチキャリア伝送システム。
【請求項８】
データをＭ個（Ｍは２以上の整数）のデータに変換する直並列変換手段と、前記Ｍ個のデータをそれぞれ変調してＭ系統の変調信号を発生させるマルチキャリア変調手段と、
前記Ｍ系統の変調信号をそれぞれ復調するマルチキャリア復調手段と、前記復調されたＭ個のデータを１つのデータに変換する並直列変換手段と、
前記Ｍの値、前記Ｍ系統の変調信号の各周波数、前記Ｍ系統の変調信号の各帯域幅、前記Ｍ系統の変調信号の各変調方式のうち少なくとも１つを通信中に変化させる制御手段と、
を備えることを特徴とするマルチキャリア伝送装置。
【請求項９】
請求項８に記載のマルチキャリア伝送装置において、さらに、
データの順序を所定の周期で並べ替えこれを前記直並列変換手段に入力する可変インターリーブ手段と、
前記可変インターリーブ手段における周期に対応して前記並直列変換手段から出力されたデータの順序を並び替える可変デインターリーブ手段と、
を備え、
前記制御手段は、さらに、前記可変インターリーブ手段および前記可変デインターリーブ手段におけるデータの並べ替えの順序を通信中に変化させる、
ことを特徴とするマルチキャリア伝送装置。
【請求項１０】
請求項８に記載のマルチャリア伝送装置において、さらに、
データに所定の符号化方式で伝送路符号化を施しこれを前記直並列変換手段に入力する符号化手段と、
前記符号化手段における符号化方式に対応して前記並直列変換手段から出力されたデータを復号する復号化手段と、
を備え、
前記制御手段は、さらに、前記符号化方式を通信中に変化させる、
ことを特徴とするマルチキャリア伝送装置。
【請求項１１】
請求項８に記載のマルチキャリア伝送装置において、さらに、
データを所定のスクランブル系列でスクランブルしこれを前記直並列変換手段に入力するスクランブル手段と、
前記スクランブル手段におけるスクランブル系列に対応して前記並直列変換手段から出力されたデータをデスクランブルするデスクランブル手段と、
を備え、
前記制御手段は、さらに、前記スクランブル系列を通信中に変化させる、
ことを特徴とするマルチキャリア伝送装置。
【請求項１２】
請求項９に記載のマルチャリア伝送装置において、さらに、
データに所定の符号化方式で伝送路符号化を施しこれを前記可変インターリーブ手段に入力する符号化手段と、
前記符号化手段における符号化方式に対応して前記可変デインターリーブ手段から出力されたデータを復号する復号化手段と、
を備え、
前記制御手段は、さらに、前記符号化方式を通信中に変化させる、
ことを特徴とするマルチキャリア伝送装置。
【請求項１３】
請求項９に記載のマルチキャリア伝送装置において、さらに、
データを所定のスクランブル系列でスクランブルしこれを前記可変インターリーブ手段に入力するスクランブル手段と、
前記スクランブル手段におけるスクランブル系列に対応して前記可変デインターリーブ手段から出力されたデータをデスクランブルするデスクランブル手段と、
を備え、
前記制御手段は、さらに、前記スクランブル系列を通信中に変化させる、
ことを特徴とするマルチキャリア伝送装置。
【請求項１４】
請求項１２に記載のマルチキャリア伝送装置において、さらに、
データを所定のスクランブル系列でスクランブルしこれを前記符号化手段に入力するスクランブル手段と、
前記スクランブル手段におけるスクランブル系列に対応して前記復号化手段から出力されたデータをデスクランブルするデスクランブル手段と、
を備え、
前記制御手段は、さらに、前記スクランブル系列を通信中に変化させる、
ことを特徴とするマルチキャリア伝送装置。
【発明の詳細な説明】
【０００１】
【発明の属する技術分野】
本発明は、無線通信システム、無線通信装置に関し、特に、データをいくつかのキャリアに分けて伝送するマルチキャリア伝送システム、マルチキャリア伝送装置に関する。
【０００２】
【従来の技術】
無線通信の秘匿性および耐妨害性を高めることは無線通信システムにおける重要な課題であるが、この無線通信の秘匿性を高める技術としては、従来から、スクランブルを用いる方法が知られている。
【０００３】
図５は、スクランブルを用いる従来の無線通信システムの基本的な構成を示す図である。
【０００４】
図５に示すように、従来の無線通信システムは、送信局３００と受信局４００とから構成される。
【０００５】
送信データは、送信局３００のスクランブラ３０１に入力され、このスクランブラ３０１において、擬似ランダムパターン発生器３０２が発生した特定のスクランブルパターンによりスクランブルされる。
【０００６】
スクランブルされたデータは、変調器３０３で変調され、無線信号としてアンテナ３０４から送信される。
【０００７】
一方、受信局４００では、アンテナ４０１で受信した無線信号が復調器４０２で復調され、デスクランブラ４０３に入力される。デスクランブラ４０３に入力されたデータは、このデスクランブラ４０３において、擬似ランダムパターン発生器４０４の発生するスクランブルパターンによりデスクランブルされ、受信データとして出力される。
【０００８】
ここで、受信局４００の擬似ランダムパターン発生器４０４は、あらかじめ送信局３００の擬似ランダムパターン発生器３０２と同一のスクランブルパターンを発生するように構成されている。
【０００９】
したがって、受信局４００から出力される受信データは、送信局３００に入力された送信データとなる。すなわち、受信局４００は、送信局３００のアンテナ３０４から送信されたデータを元データ（図５の送信データ）に復元する。
【００１０】
このような図５に記載する従来の無線通信システムにおいては、擬似ランダムパターン発生器３０２、４０４が発生するスクランブルパターンを知っている者のみが、送信局３００から送信されたデータを、この送信局３００が受信局４００に送信せんとする元データ（図５の送信データ）に復元できる。
【００１１】
したがって、従来の無線通信システムによれば、データを不正に傍受する者に元データを知られる可能性をスクランブル方法を用いない無線通信システムよりも小さくできた。
【００１２】
なお、擬似ランダムパターン発生器３０２、４０４の発生するパターンを通信中に変化させることで、図５の従来の無線通信システムよりも傍受を一層困難にする方法も従来から知られている。
【００１３】
さらに、搬送波周波数を時間的に変化（ホッピング）させる周波数ホッピング（特許文献１）を図５の従来の無線通信システムに適用する方法も従来から知られている。
【００１４】
【特許文献１】
特開平１０−１９０５２９号公報
【００１５】
【発明が解決しようとする課題】
しかしながら、図５の従来の無線通信システムでは、無線信号の搬送波が一波であり、帯域幅も固定しているため、無線信号の受信自体は比較的容易に行うことができる。そして、図５の従来の無線通信システムでは、不正な傍受者にとって未知となるパラメータがスクランブルパターンのみである。したがって、不正に傍受を試みる者は、無線信号の受信に一度成功すれば、あとは、スクランブルパターンを知るだけで傍受したデータを元データに復元できることになる。よって、図５の従来の無線通信システムには、無線通信において十分な秘匿性が得られないという問題があった。
【００１６】
また、図５の従来の無線通信システムでは、使用中の信号帯域に妨害信号を送信するだけで無線通信の妨害を容易に実行できる。したがって、図５の従来の無線通信システムには、無線通信の妨害に対して脆弱であるという問題もあった。
【００１７】
また、図５の従来の無線通信システムにおいてスクランブルパターンを時間的に変化させても、不正に傍受を試みる者は、無線信号の受信に一度成功すれば、スクランブルパターンとその時間的変化という２つのパラメータを知るだけで傍受または妨害を実行できる。
【００１８】
また、図５の従来の無線通信システムに周波数ホッピングを適用しても、ある時点で用いる搬送波は一波である。したがって、図５の従来の無線通信システムに周波数ホッピングを適用しても、不正に傍受を試みる者は、無線信号の受信に一度成功すれば、スクランブルパターンとその時間的変化という２つのパラメータに加えて、さらに、ホッピングパターンというパラメータを知るだけで傍受または妨害を実行できる。
【００１９】
よって、図５の従来の無線通信システムでは、無線通信の秘匿性および耐妨害性を高めることが困難であった。
【００２０】
そこで、本発明は、かかる事情に鑑み、不正な傍受または妨害を試みる者に対して無線信号の受信自体を困難にでき、また、変更可能なパラメータを増すことができる、秘匿性および耐妨害性の高い無線通信システム、無線通信装置を提供することを目的とする。
【００２１】
【課題を解決するための手段】
本発明は、上記課題を次の手段により解決する。
【００２２】
第１の発明に係るマルチキャリア伝送システムは、データをＭ個（Ｍは２以上の整数）のデータに変換する直並列変換手段と、前記Ｍ個のデータをそれぞれ変調してＭ系統の変調信号を発生させるマルチキャリア変調手段と、を備える送信局と、前記Ｍ系統の変調信号をそれぞれ復調するマルチキャリア復調手段と、前記復調されたＭ個のデータを１つのデータに変換する並直列変換手段と、を備える受信局と、を有するマルチキャリア伝送システムにおいて、前記送信局および前記受信局は、前記Ｍの値、前記Ｍ系統の変調信号の各周波数、前記Ｍ系統の変調信号の各帯域幅、前記Ｍ系統の変調信号の各変調方式のうち少なくとも１つを通信中に変化させる制御手段を備える、ことを特徴とする。
【００２３】
第１の発明に係るマルチキャリア伝送システムによれば、データが複数の搬送波に分割され、それぞれ異なる周波数、異なる帯域幅で伝送される。したがって、第１の発明に係るマルチキャリア伝送システムによれば、搬送波の数、各搬送波の周波数、各搬送波の帯域を知らない第三者は無線通信を傍受できない。
【００２４】
さらに、第１の発明に係るマルチキャリア伝送システムによれば、上記組合せが搬送波の数をも含めて通信中に変化するため、他の通信が使用している信号との峻別は極めて困難となり、高い秘匿性が得られる。
【００２５】
また、第１の発明に係るマルチキャリア伝送システムよれば、同じ理由で妨害も困難であるとともに、仮に複数使用している搬送波のうち一部が妨害を受けたとしても、データの一部が散発的に誤るにとどまるため、影響を大幅に緩和できる。
【００２６】
第２の発明に係るマルチキャリア伝送システムは、上記第１の発明に係るマルチキャリア伝送システムにおいて、前記送信局は、さらに、データの順序を所定の周期で並べ替えこれを前記直並列変換手段に入力する可変インターリーブ手段を備え、前記受信局は、さらに、前記可変インターリーブ手段における周期に対応して前記並直列変換手段から出力されたデータの順序を並び替える可変デインターリーブ手段を備え、前記送信局および前記受信局における前記制御手段は、さらに、前記可変インターリーブ手段および前記可変デインターリーブ手段におけるデータの並べ替えの順序を通信中に変化させる、ことを特徴とする。
【００２７】
第２の発明に係るマルチキャリア伝送システムによれば、さらに、データの送出順序を通信中に変化させることができる。したがって、第２の発明に係るマルチキャリア伝送システムによれば、変更可能なパラメータの数をさらに増加させることができ、周波数、帯域幅については知っているがデータの送出順序を知らない第三者による無線通信の傍受を阻止することができる。
【００２８】
また、第２の発明に係るマルチキャリア伝送システムによれば、時間的に連続したデータを、並べ替えにより異なる搬送波に分散して伝送することができるため、いずれかの搬送波が妨害を受けた際のデータ誤りをさらに分散し散発化させることが可能である。
【００２９】
よって、第２の発明に係るマルチキャリア伝送システムによれば、無線通信の秘匿性および耐妨害性を一層高めることができる。
【００３０】
第３の発明に係るマルチキャリア伝送システムは、上記第１の発明に係るマルチキャリア伝送システムにおいて、前記送信局は、さらに、データに所定の符号化方式で伝送路符号化を施しこれを前記直並列変換手段に入力する符号化手段を備え、前記受信局は、さらに、前記符号化手段における符号化方式に対応して前記並直列変換手段から出力されたデータを復号する復号化手段を備え、前記送信局および前記受信局における前記制御手段は、さらに、前記符号化方式を通信中に変化させる、ことを特徴とする。
【００３１】
第３の発明に係るマルチキャリア伝送システムによれば、さらに、データに伝送路符号化を施し、符号化方式を通信中に変化させることができる。したがって、第３の発明に係るマルチキャリア伝送システムによれば、変更可能なパラメータの数をさらに増加させることができ、周波数、帯域幅については知っているが符号化方式を知らない第三者による無線通信の傍受を阻止することができる。
【００３２】
また、第３の発明に係るマルチキャリア伝送システムによれば、妨害を受けた場合のデータ誤りを訂正できるため、伝送品質が向上する。
【００３３】
よって、第３の発明に係るマルチキャリア伝送システムによれば、無線通信の秘匿性および耐妨害性を一層高めることができる。
【００３４】
第４の発明に係るマルチキャリア伝送システムは、上記第１の発明に係るマルチキャリア伝送システムにおいて、前記送信局は、さらに、データを所定のスクランブル系列でスクランブルしこれを前記直並列変換手段に入力するスクランブル手段を備え、前記受信局は、さらに、前記スクランブル手段におけるスクランブル系列に対応して前記並直列変換手段から出力されたデータをデスクランブルするデスクランブル手段を備え、前記送信局および前記受信局における前記制御手段は、さらに、前記スクランブル系列を通信中に変化させる、ことを特徴とする。
【００３５】
第４の発明に係るマルチキャリア伝送システムによれば、さらに、スクランブルパターンを通信中に変化させることができる。したがって、第４の発明に係るマルチキャリア伝送システムによれば、変更可能なパラメータの数をさらに増加させることができ、周波数、帯域幅については知っているがスクランブルパターンを知らない第三者による無線通信の傍受を阻止することができる。よって、第４の発明に係るマルチキャリア伝送システムによれば、無線通信の秘匿性を一層高めることができる。
【００３６】
第５の発明に係るマルチキャリア伝送システムは、上記第２の発明に係るマルチキャリア伝送システムにおいて、前記送信局は、さらに、データに所定の符号化方式で伝送路符号化を施しこれを前記可変インターリーブ手段に入力する符号化手段を備え、前記受信局は、さらに、前記符号化手段における符号化方式に対応して前記可変デインターリーブ手段から出力されたデータを復号する復号化手段を備え、前記送信局および前記受信局における前記制御手段は、さらに、前記符号化方式を通信中に変化させる、ことを特徴とする。
【００３７】
第５の発明に係るマルチキャリア伝送システムによれば、さらに、データに伝送路符号化を施し、符号化方式を通信中に変化させることができる。したがって、第５の発明に係るマルチキャリア伝送システムによれば、変更可能なパラメータの数をさらに増加させることができ、周波数、帯域幅、データの送出順序については知っているが符号化方式を知らない第三者による無線通信の傍受を阻止することができる。
【００３８】
また、第５の発明に係るマルチキャリア伝送システムによれば、妨害を受けた場合のデータ誤りを訂正できるため、伝送品質が向上する。特に、第５の発明に係るマルチキャリア伝送システムにおいては、妨害を受けた際のデータ誤りがより一層分散し散発化されている。そして、伝送路符号による誤り訂正効果は、一般に、データ誤りが連続的ではなく散発的に発生する場合に高い効果が得られる。したがって、第５の発明に係るマルチキャリア伝送システムによれば、高い伝送品質を得ることができる。
【００３９】
よって、第５の発明に係るマルチキャリア伝送システムによれば、無線通信の秘匿性および耐妨害性を一層高めることができる。
【００４０】
第６の発明に係るマルチキャリア伝送システムは、上記第２の発明に係るマルチキャリア伝送システムにおいて、前記送信局は、さらに、データを所定のスクランブル系列でスクランブルしこれを前記可変インターリーブ手段に入力するスクランブル手段を備え、前記受信局は、さらに、前記スクランブル手段におけるスクランブル系列に対応して前記可変デインターリーブ手段から出力されたデータをデスクランブルするデスクランブル手段を備え、前記送信局および前記受信局における前記制御手段は、さらに、前記スクランブル系列を通信中に変化させる、ことを特徴とする。
【００４１】
第６の発明に係るマルチキャリア伝送システムによれば、さらに、スクランブルパターンを通信中に変化させることができる。したがって、第６の発明に係るマルチキャリア伝送システムによれば、変更可能なパラメータの数をさらに増加させることができ、周波数、帯域幅、データの送出順序については知っているがスクランブルパターンを知らない第三者による無線通信の傍受を阻止することができる。よって、第６の発明に係るマルチキャリア伝送システムによれば、無線通信の秘匿性を一層高めることができる。
【００４２】
第７の発明に係るマルチキャリア伝送システムは、上記第５の発明に係るマルチキャリア伝送システムにおいて、前記送信局は、さらに、データを所定のスクランブル系列でスクランブルしこれを前記符号化手段に入力するスクランブル手段を備え、前記受信局は、さらに、前記スクランブル手段におけるスクランブル系列に対応して前記復号化手段から出力されたデータをデスクランブルするデスクランブル手段を備え、前記送信局および前記受信局における前記制御手段は、さらに、前記スクランブル系列を通信中に変化させる、ことを特徴とする。
【００４３】
第７の発明に係るマルチキャリア伝送システムによれば、さらに、スクランブルパターンを通信中に変化させることができる。したがって、第７の発明に係るマルチキャリア伝送システムによれば、変更可能なパラメータの数をさらに増加させることができ、周波数、帯域幅、データの送出順序、符号化方式については知っているがスクランブルパターンを知らない第三者による無線通信の傍受を阻止することができる。よって、第７の発明に係るマルチキャリア伝送システムによれば、無線通信の秘匿性を一層高めることができる。
【００４４】
第８の発明に係るマルチキャリア伝送装置は、データをＭ個（Ｍは２以上の整数）のデータに変換する直並列変換手段と、前記Ｍ個のデータをそれぞれ変調してＭ系統の変調信号を発生させるマルチキャリア変調手段と、前記Ｍ系統の変調信号をそれぞれ復調するマルチキャリア復調手段と、前記復調されたＭ個のデータを１つのデータに変換する並直列変換手段と、前記Ｍの値、前記Ｍ系統の変調信号の各周波数、前記Ｍ系統の変調信号の各帯域幅、前記Ｍ系統の変調信号の各変調方式のうち少なくとも１つを通信中に変化させる制御手段と、を備えることを特徴とする。
【００４５】
第８の発明に係るマルチキャリア伝送装置によれば、データが複数の搬送波に分割され、それぞれ異なる周波数、異なる帯域幅で伝送される。したがって、第８の発明に係るマルチキャリア伝送装置によれば、搬送波の数、各搬送波の周波数、各搬送波の帯域を知らない第三者は無線通信を傍受できない。
【００４６】
さらに、第８の発明に係るマルチキャリア伝送装置によれば、上記組合せが搬送波の数をも含めて通信中に変化するため、他の通信が使用している信号との峻別は極めて困難となり、高い秘匿性が得られる。
【００４７】
また、第８の発明に係るマルチキャリア伝送装置によれば、同じ理由で妨害も困難であるとともに、仮に複数使用している搬送波のうち一部が妨害を受けたとしても、データの一部が散発的に誤るにとどまるため、影響を大幅に緩和できる。
【００４８】
第９の発明に係るマルチキャリア伝送装置は、上記第８の発明に係るマルチキャリア伝送装置において、さらに、データの順序を所定の周期で並べ替えこれを前記直並列変換手段に入力する可変インターリーブ手段と、前記可変インターリーブ手段における周期に対応して前記並直列変換手段から出力されたデータの順序を並び替える可変デインターリーブ手段と、を備え、前記制御手段は、さらに、前記可変インターリーブ手段および前記可変デインターリーブ手段におけるデータの並べ替えの順序を通信中に変化させる、ことを特徴とする。
【００４９】
第９の発明に係るマルチキャリア伝送装置によれば、さらに、データの送出順序を通信中に変化させることができる。したがって、第９の発明に係るマルチキャリア伝送装置によれば、変更可能なパラメータの数をさらに増加させることができ、周波数、帯域幅については知っているがデータの送出順序を知らない第三者による無線通信の傍受を阻止することができる。
【００５０】
また、第９の発明に係るマルチキャリア伝送装置によれば、時間的に連続したデータを、並べ替えにより異なる搬送波に分散して伝送することができるため、いずれかの搬送波が妨害を受けた際のデータ誤りをさらに分散し散発化させることが可能である。
【００５１】
よって、第９の発明に係るマルチキャリア伝送装置によれば、無線通信の秘匿性および耐妨害性を一層高めることができる。
【００５２】
第１０の発明に係るマルチキャリア伝送装置は、上記第８の発明に係るマルチャリア伝送装置において、さらに、データに所定の符号化方式で伝送路符号化を施しこれを前記直並列変換手段に入力する符号化手段と、前記符号化手段における符号化方式に対応して前記並直列変換手段から出力されたデータを復号する復号化手段と、を備え、前記制御手段は、さらに、前記符号化方式を通信中に変化させる、ことを特徴とする。
【００５３】
第１０の発明に係るマルチキャリア伝送装置によれば、さらに、データに伝送路符号化を施し、符号化方式を通信中に変化させることができる。したがって、第１０の発明に係るマルチキャリア伝送装置によれば、変更可能なパラメータの数をさらに増加させることができ、周波数、帯域幅については知っているが符号化方式を知らない第三者による無線通信の傍受を阻止することができる。
【００５４】
また、第１０の発明に係るマルチキャリア伝送装置によれば、妨害を受けた場合のデータ誤りを訂正できるため、伝送品質が向上する。
【００５５】
よって、第１０の発明に係るマルチキャリア伝送装置によれば、無線通信の秘匿性および耐妨害性を一層高めることができる。
【００５６】
第１１の発明に係るマルチキャリア伝送装置は、上記第８の発明に係るマルチキャリア伝送装置において、さらに、データを所定のスクランブル系列でスクランブルしこれを前記直並列変換手段に入力するスクランブル手段と、前記スクランブル手段におけるスクランブル系列に対応して前記並直列変換手段から出力されたデータをデスクランブルするデスクランブル手段と、を備え、前記制御手段は、さらに、前記スクランブル系列を通信中に変化させる、ことを特徴とする。
【００５７】
第１１の発明に係るマルチキャリア伝送装置によれば、さらに、スクランブルパターンを通信中に変化させることができる。したがって、第１１の発明に係るマルチキャリア伝送装置によれば、変更可能なパラメータの数をさらに増加させることができ、周波数、帯域幅については知っているがスクランブルパターンを知らない第三者による無線通信の傍受を阻止することができる。よって、第１１の発明に係るマルチキャリア伝送装置によれば、無線通信の秘匿性を一層高めることができる。
【００５８】
第１２の発明に係るマルチキャリア伝送装置は、上記第９の発明に係るマルチャリア伝送装置において、さらに、データに所定の符号化方式で伝送路符号化を施しこれを前記可変インターリーブ手段に入力する符号化手段と、前記符号化手段における符号化方式に対応して前記可変デインターリーブ手段から出力されたデータを復号する復号化手段と、を備え、前記制御手段は、さらに、前記符号化方式を通信中に変化させる、ことを特徴とする。
【００５９】
第１２の発明に係るマルチキャリア伝送装置によれば、さらに、データに伝送路符号化を施し、符号化方式を通信中に変化させることができる。したがって、第１２の発明に係るマルチキャリア伝送装置によれば、変更可能なパラメータの数をさらに増加させることができ、周波数、帯域幅、データの送出順序については知っているが符号化方式を知らない第三者による無線通信の傍受を阻止することができる。
【００６０】
また、第１２の発明に係るマルチキャリア伝送装置によれば、妨害を受けた場合のデータ誤りを訂正できるため、伝送品質が向上する。特に、第１２の発明に係るマルチキャリア伝送装置においては、妨害を受けた際のデータ誤りがより一層分散し散発化されている。そして、伝送路符号による誤り訂正効果は、一般に、データ誤りが連続的ではなく散発的に発生する場合に高い効果が得られる。したがって、第１２の発明に係るマルチキャリア伝送装置によれば、高い伝送品質を得ることができる。
【００６１】
よって、第１２の発明に係るマルチキャリア伝送装置によれば、無線通信の秘匿性および耐妨害性を一層高めることができる。
【００６２】
第１３の発明に係るマルチキャリア伝送装置は、上記第９の発明に係るマルチキャリア伝送装置において、さらに、データを所定のスクランブル系列でスクランブルしこれを前記可変インターリーブ手段に入力するスクランブル手段と、前記スクランブル手段におけるスクランブル系列に対応して前記可変デインターリーブ手段から出力されたデータをデスクランブルするデスクランブル手段と、を備え、前記制御手段は、さらに、前記スクランブル系列を通信中に変化させる、ことを特徴とする。
【００６３】
第１３の発明に係るマルチキャリア伝送装置によれば、さらに、スクランブルパターンを通信中に変化させることができる。したがって、第１３の発明に係るマルチキャリア伝送装置によれば、変更可能なパラメータの数をさらに増加させることができ、周波数、帯域幅、データの送出順序については知っているがスクランブルパターンを知らない第三者による無線通信の傍受を阻止することができる。よって、第１３の発明に係るマルチキャリア伝送装置によれば、無線通信の秘匿性を一層高めることができる。
【００６４】
第１４の発明に係るマルチキャリア伝送装置は、上記第１２の発明に係るマルチキャリア伝送装置において、さらに、データを所定のスクランブル系列でスクランブルしこれを前記符号化手段に入力するスクランブル手段と、前記スクランブル手段におけるスクランブル系列に対応して前記復号化手段から出力されたデータをデスクランブルするデスクランブル手段と、を備え、前記制御手段は、さらに、前記スクランブル系列を通信中に変化させる、ことを特徴とする。
【００６５】
第１４の発明に係るマルチキャリア伝送装置によれば、さらに、スクランブルパターンを通信中に変化させることができる。したがって、第１４の発明に係るマルチキャリア伝送装置によれば、変更可能なパラメータの数をさらに増加させることができ、周波数、帯域幅、データの送出順序、符号化方式については知っているがスクランブルパターンを知らない第三者による無線通信の傍受を阻止することができる。よって、第１４の発明に係るマルチキャリア伝送装置によれば、無線通信の秘匿性を一層高めることができる。
【００６６】
【発明の実施の形態】
以下に、添付した図面を参照しつつ、本発明の好適な実施の形態を詳細に説明する。
【００６７】
図３は、本発明に係るマルチキャリア伝送システムの実施形態を示す全体図である。
【００６８】
図３に示すように、本実施の形態に係るマルチキャリア伝送システムは、送信局１００と受信局２００とから構成される。
【００６９】
そこで、まず、送信局１００の構成について説明する。
【００７０】
図１は、本発明の実施の形態に係るマルチキャリア伝送システムにおける、送信局１００の構成および受信局２００の構成を示す図である。
【００７１】
図１において、送信局１００に入力されたデータ（以下、「送信データ」という。）は、スクランブラ１０１に入力され、可変擬似ランダムパターン発生器１０２が発生させるスクランブルパターンによってスクランブルされる。ここで、可変擬似ランダムパターン発生器１０２は、発生させるスクランブルパターンを制御器１２０の制御に従って変更する。
【００７２】
スクランブラ１０１でスクランブルされたデータは、可変符号器１０３に入力され、伝送路符号化される。ここで、可変符号器１０３は、符号化率を制御器１２０の制御に従って変更する畳込み符号器である。
【００７３】
可変符号器１０３で符号化されたデータは、可変インターリーバ１０４に入力され、順序を並べ替えられる。ここで、可変インターリーバ１０４は、可変符号器１０３で符号化されたデータの順序を制御器１２０の制御に従って並べ替える。
【００７４】
可変インターリーバ１０４で順序を並べ替えられたデータは、直並列変換器１０５に入力され、４個の並列データに変換される。
【００７５】
直並列変換器１０５から出力される４個の並列データは、制御器１２０の制御に従って開閉するスイッチ１０６〜１０９を介して可変並直列変換器１１０〜１１３にそれぞれ入力される。
【００７６】
可変並直列変換器１１０〜１１３は、それぞれ、Ｎ個の入力データを１個のデータに変換するＮ対１の並直列変換器である。ここで、たとえば可変並直列変換器１１０におけるＮの値が４であるとすると、可変並直列変換器１１０は、上記スイッチ１０６〜１０９からの４個のデータを１個のデータに変換する。
また、たとえば可変並直列変換器１１２におけるＮの値が２であるとすると、可変並直列変換器１１２は、上記スイッチ１０６〜１０９のうちの２つスイッチからの２個のデータを１個のデータに変換する。
【００７７】
Ｎの値は、制御器１２０の制御により０〜４の範囲で変動する。なお、Ｎの値が０の場合は可変並直列変換器１１０〜１１３は停止するものとする。ただし、本実施の形態における制御器１２０は、マルチキャリア伝送を実現するために、少なくとも２つの可変並直列変換器を動作させるものとする。
【００７８】
本明細書においては、直並列変換器１０５とスイッチ１０６〜１０９と可変並直列変換器１１０〜１１３とで構成される手段を本発明の実施の形態に係る直並列変換手段という。図１に示すように、本発明の実施の形態に係る直並列変換手段は可変インターリーバ１０４で順序を並べ替えられたデータをＭ個（２≦Ｍ≦４）のデータに変換できる。このＭの値は、スイッチ１０６〜１０９と可変並直列変換器１１０〜１１３とが制御器１２０に制御されることによって、結果として制御器１２０に制御される。
【００７９】
可変並直列変換器１１０〜１１３で並直列変換された各直列データは、それぞれ可変変調器１１４〜１１７に入力される。この可変変調器１１４〜１１７は、制御器１２０の制御に従って出力周波数、帯域幅、変調方式、動作のオンオフを設定できる変調器である。
なお、本明細書においては、本発明の実施の形態に係る可変変調器１１４〜１１７を、本発明の実施の形態に係るマルチキャリア変調手段ともいう。
【００８０】
可変変調器１１４〜１１７でそれぞれ変調された信号は、合成器１１８で加算合成され、アンテナ１１９から無線信号として送信される。
【００８１】
つぎに、受信局２００について説明する。
【００８２】
受信局２００のアンテナ２０１で受信された無線信号は、分配器２０２に入力され、４系統に分配される。
【００８３】
分配器２０２で４系統に分配された無線信号は、可変復調器２０３〜２０６にそれぞれ入力される。ここで、可変復調器２０３〜２０６は、制御器２２０の制御に従って入力周波数、帯域幅、変調方式、動作のオンオフを設定できる復調器である。
なお、本明細書においては、本発明の実施の形態に係る可変復調器２０３〜２０６を、本発明の実施の形態に係るマルチキャリア復調手段ともいう。
【００８４】
可変復調器２０３〜２０６でそれぞれ復調されたデータは、可変直並列変換器２０７〜２１０にそれぞれ入力される。
【００８５】
可変直並列変換器２０７〜２１０は、それぞれ、１個の入力データをＮ個の並列データに変換する１対Ｎの直並列変換器である。ここで、たとえば可変直並列変換器２０７におけるＮの値が３であるとすると、可変並直列変換器２０７は、１個の入力データを３個の並列データに変換する。また、たとえば可変直並列変換器２０８におけるＮの値が１であるとすると、可変直並列変換器２０８は、１個のデータを１個のデータに変換する。
【００８６】
Ｎの値は、制御器２２０の制御により０〜４の範囲で変動する。なお、Ｎの値が０の場合は可変直並列変換器２０７〜２１０は停止するものとする。ただし、本実施の形態における制御器２２０は、マルチキャリア伝送を実現するために、少なくとも２つの可変直並列変換器を動作させるものとする。
【００８７】
可変直並列変換器２０７〜２１０で直並列変換された並列データは、制御器２２０の制御に従って開閉するスイッチ２１１〜２１４を介して並直列変換器２１５に入力される。
【００８８】
並直列変換器２１５は、入力された４個のデータを１つの直列データに変換する。
【００８９】
なお、本明細書においては、並直列変換器２１５とスイッチ２１１〜２１４と可変直並列変換器２０７〜２１０とで構成される手段を本発明の実施の形態に係る並直列変換手段という。図１に示すように、本発明の実施の形態に係る並直列変換手段は、可変復調器２０３〜２０６から出力されたＭ個（２≦Ｍ≦４）の並列データを１つのデータに変換する。このＭの値は、スイッチ２１１〜２１４と可変直並列変換器２０７〜２１０とが制御器２２０に制御されることによって、結果として制御器２２０に制御される。
【００９０】
並直列変換器２１５で並直列変換されたデータは、可変デインターリーバ２１６に入力され、順序を並べ替えられる。ここで、可変デインターリーバ２１６は、制御器２２０の制御に従って並直列変換されたデータの順序を並べ替える。
【００９１】
可変デインターリーバ２１６で並べ替えられたデータは、可変復号器２１７で伝送路符号の復号化がなされる。ここで、可変復号器２１７は、制御器２２０の制御に従って符号化率を変更できるビタビ復号器である。
【００９２】
可変復号器２１７で復号されたデータは、デスクランブラ２１８に入力され、可変擬似ランダムパターン発生器２１９で発生するスクランブルパターンによりデスクランブルされる。
ここで、可変擬似ランダムパターン発生器２２０は、発生させるスクランブルパターンを制御器１２０の制御に従って変更できる。
【００９３】
つぎに、上記送信局１００の制御器１２０と、受信局２００の制御器２２０と、について詳細に説明する。
【００９４】
送信局１００の制御器１２０と受信局２００の制御器２２０とは、
・直並列変換器１０５、並直列変換器２１５のＭの値、
・可変擬似ランダムパターン発生器１０２、２１９が発生させるスクランブルパターン、
・可変符号器１０３、可変復号器２１７の符号化率、
・可変インターリーバ１０４、可変デインターリーバ２１６の並べ替え順序
・スイッチ１０６〜１０９、２１１〜２１４の接続先、
・可変並直列変換器１１０〜１１３、可変直並列変換器２０７〜２１０のＮの値、
・可変変調器１１４〜１１７、可変復調器２０３〜２０６の周波数、帯域幅、変調方式、動作のオンオフ状態、
という各制御情報について、共通の変更手順、共通のタイミングを保有しており、送信局１００および受信局２００における上記各構成部を同期して制御する。この送信局１００の制御器１２０と受信局２００の制御器２２０とによる同期した制御により、本実施の形態に係るマルチキャリア伝送システムを用いた無線通信は維持される。
【００９５】
つぎに、図２を参照しつつ、この送信局１００の制御器１２０と受信局２００の制御器２２０とによる同期した制御の手順の例を説明する。
【００９６】
図２は、本発明の実施の形態に係る送信局１００の制御器１２０と受信局２００の制御器２２０とによる同期した制御の手順、および、本発明の実施の形態に係る送受信信号の周波数スペクトラムの時間的変化を説明するための図である。なお、送受信信号とは、送信局１００と受信局２００とが送受信する信号をいう。
【００９７】
図２において、Ｐ１〜Ｐ３はそれぞれ異なるスクランブルパターン、Ｉ１〜Ｉ３はそれぞれ異なる並べ替え順序、Ｆ１〜Ｆ８はそれぞれ異なる搬送波周波数を表している。なお、説明の便宜のため、本実施の形態に係る送信局１００の制御器１２０と受信局２００の制御器２２０とは、下記時刻Ａ〜Ｅにおいて、直並列変換手段、並直列変換手段に対し、Ｍの値を２〜４の範囲とする制御をする。
【００９８】
まず、時刻Ａにおいて、送信局１００の制御器１２０と受信局２００の制御器２２０とは、可変擬似ランダムパターン発生器１０２、２１９対してスクランブルパターンをＰ１とする制御をし、可変符号器１０３および可変復号器２１７に対して符号化率を１／２とする制御をし、可変インターリーバ１０４および可変デインターリーバ２１６に対して並べ替え順序をＩ１とする制御をする。
【００９９】
また、時刻Ａにおいて、送信局１００の制御器１２０と受信局２００の制御器２２０とは、スイッチ１０６、２１１に対して接続先を図１のａとする制御をし、スイッチ１０７、２１２に対して接続先を図１のｂとする制御をし、スイッチ１０８、２１３に対して接続先を図１のｃとする制御をし、スイッチ１０９、２１４に対して接続先を図１のｄとする制御をする。
【０１００】
また、時刻Ａにおいて、送信局１００の制御器１２０と受信局２００の制御器２２０とは、可変並直列変換器１１０〜１１３および可変直並列変換器２０７〜２１０に対してＮの値を１とする制御をする。
【０１０１】
また、時刻Ａにおいて、送信局１００の制御器１２０と受信局２００の制御器２２０とは、可変変調器１１４および可変復調器２０３に対して搬送波周波数をＦ１とする制御をし、可変変調器１１５および可変復調器２０４に対して搬送波周波数をＦ３とする制御をし、可変変調器１１６および可変復調器２０５に対して搬送波周波数をＦ５とする制御をし、可変変調器１１７および可変復調器２０６に対して搬送波周波数をＦ７とする制御をする。
【０１０２】
また、時刻Ａにおいて、送信局１００の制御器１２０と受信局２００の制御器２２０とは、可変変調器１１４、１１５および可変復調器２０３、２０４に対して変調方式をＱＰＳＫとする制御をし、可変変調器１１６、１１７および可変復調器２０５、２０６に対して変調方式をＢＰＳＫとする制御をする。
【０１０３】
さらに、時刻Ａにおいて、送信局１００の制御器１２０と受信局２００の制御器２２０とは、可変変調器１１４、１１５および可変復調器２０３、２０４に対して搬送波の相対帯域幅を１とする制御をし、可変変調器１１６、１１７および可変復調器２０５、２０６に対して搬送波の相対帯域幅を２とする制御をする。
【０１０４】
なお、時刻Ａにおける送受信信号の周波数スペクトラムは、送信局１００の制御器１２０と受信局２００の制御器２２０とが同期した制御を行ったことにより、図２に示すようになる。
【０１０５】
つぎに、時刻Ｂにおいて、送信局１００の制御器１２０と受信局２００の制御器２２０とは、可変擬似ランダムパターン発生器１０２、２１９に対してスクランブルパターンをＰ２に変更する制御をする。
【０１０６】
なお、時刻Ｂにおける送受信信号の周波数スペクトラムは、図２に示すように、時刻Ａから変化していない。
【０１０７】
つぎに、時刻Ｃにおいて、送信局１００の制御器１２０と受信局２００の制御器２２０とは、可変擬似ランダムパターン発生器１０２、２１９に対してスクランブルパターンをＰ３に変更する制御をし、可変符号器１０３および可変復号器２１７に対して符号化率を１／１（符号化なし）にする制御をし、可変インターリーバ１０４および可変デインターリーバ２１６に対して並べ替え順序をＩ２に変更する制御をする。
【０１０８】
また、時刻Ｃにおいて、送信局１００の制御器１２０と受信局２００の制御器２２０とは、スイッチ１０６、１０７およびスイッチ２１１、２１２に対して接続先を図１のａとする制御をし、スイッチ１０８、１０９およびスイッチ２１３、２１４に対して接続先を図１のｂとする制御をする。
【０１０９】
また、時刻Ｃにおいて、送信局１００の制御器１２０と受信局２００の制御器２２０とは、可変並直列変換器１１０、１１１および可変直並列変換器２０７、２０８に対してＮの値を２とする制御をし、可変並直列変換器１１２、１１３および可変直並列変換器２０９、２１０に対してＮの値を０とする制御をする。
【０１１０】
さらに、時刻Ｃにおいて、送信局１００の制御器１２０と受信局２００の制御器２２０とは、可変変調器１１４および可変復調器２０３に対して、周波数をＦ２、変調方式をＢＰＳＫ、相対帯域幅を２に変更する制御をし、可変変調器１１５および可変復調器２０４に対して、周波数をＦ６、変調方式をＢＰＳＫ、相対帯域幅を２に変更する制御をし、可変変調器１１６、１１７および可変復調器２０５、２０６の動作を停止させる。これにより、全データが、２つの搬送波、すなわち、（周波数Ｆ２、変調方式ＢＰＳＫ、相対帯域幅２）の搬送波と（周波数Ｆ６、変調方式ＢＰＳＫ、相対帯域幅２）の搬送波とで搬送される。
【０１１１】
なお、時刻Ｃにおける送受信信号の周波数スペクトラムは、送信局１００の制御器１２０と受信局２００の制御器２２０とが同期した制御を行ったことにより、図２に示すようになる。
【０１１２】
つぎに、時刻Ｄにおいて、送信局１００の制御器１２０と受信局２００の制御器２２０とは、可変インターリーバ１０４および可変デインターリーバ２１６に対して並べ替え順序をＩ３に変更する制御をしている。
【０１１３】
なお、時刻Ｄにおける送受信信号の周波数スペクトラムは、図２に示すように、時刻Ｃから変化していない。
【０１１４】
そして、時刻Ｅにおいて、送信局１００の制御器１２０と受信局２００の制御器２２０とは、可変擬似ランダムパターン発生器１０２、２１９に対してスクランブルパターンをＰ１に変更する制御をし、可変符号器１０３および可変復号器２１７に対して符号化率を３／４に変更する制御をし、可変インターリーバ１０４および可変デインターリーバ２１６に対して並べ替え順序をＩ２に変更する制御をする。
【０１１５】
また、時刻Ｅにおいて、送信局１００の制御器１２０と受信局２００の制御器２２０とは、スイッチ１０６、２１１に対して接続先を図１のａとする制御をし、スイッチ１０７、２１２に対して接続先を図１のｂとする制御をし、スイッチ１０８、２１３に対して接続先を図１のｃとする制御をし、スイッチ１０９、２１４に対して接続先を図１のｃとする制御をする。
【０１１６】
また、時刻Ｅにおいて、送信局１００の制御器１２０と受信局２００の制御器２２０とは、可変並直列変換器１１０、１１１および可変直並列変換器２０７、２０８に対してＮの値を１とする制御をし、可変並直列変換器１１２および可変直並列変換器２０９に対してＮの値を２とする制御をし、可変並直列変換器１１３および可変直並列変換器２１０に対してＮの値を０とする制御をする。
【０１１７】
さらに、時刻Ｅにおいて、送信局１００の制御器１２０と受信局２００の制御器２２０とは、可変変調器１１４および可変復調器２０３に対して周波数Ｆ２および変調方式ＱＰＳＫおよび相対帯域幅２／３の搬送波とする制御をし、可変変調器１１５および可変復調器２０４に対して周波数Ｆ３および変調方式ＢＰＳＫおよび相対帯域幅４／３の搬送波とする制御をし、可変変調器１１６および可変復調器２０５に対して周波数Ｆ６および変調方式ＱＰＳＫおよび相対帯域幅４／３の搬送波で伝送を行うように変更する制御をし、可変変調器１１７および可変復調器２０６の動作を停止させる制御をする。
【０１１８】
なお、時刻Ｅにおける送受信信号の周波数スペクトラムは、送信局１００の制御器１２０と受信局２００の制御器２２０とが同期した制御を行ったことにより、図２に示すようになる。
【０１１９】
以上説明したように、本実施の形態に係るマルチキャリア伝送システムによれば、図２に示すような多彩な通信パラメータが逐次変更されながら伝送が行われるので、第三者による無線信号の傍受または妨害が極めて困難になる。
【０１２０】
なお、上述した実施の形態においては、最大４本の搬送波を用いてマルチキャリア伝送を行う場合について説明したが、本発明はマルチキャリア伝送における搬送波の最大数を４本に限定するものではない。したがって、本発明においては、マルチキャリア伝送における搬送波の最大数を選択可能な任意の数とすることができる。
【０１２１】
なお、搬送波の最大数を選択可能な任意の数とする場合には、図１の可変変調器１１４〜１１７および可変復調器２０３〜２０６の系統の数もこれに合わせた数とする必要がある。可変変調器１１４〜１１７および可変復調器２０３〜２０６の系統の数を増加させるには、たとえば、文献（田邊、他：「マルチキャリア／マルチレートモデムの構成と特性評価」、電子情報通信学会技術研究報告、ＳＡＴ０２−７１）に示されるようなディジタル信号処理による方法を用いれば、１００系統以上の変復調器を小型かつ経済的に装置化でき、効果的である。
【０１２２】
上述した実施の形態においては、畳込み符号の符号化率を変更する方法、ＱＰＳＫとＢＰＳＫとを変更する方法について説明したが、本発明は、伝送路符号の変更の方法、変調方式の変更の方法を、これら方法に限るものではない。したがって、本発明においては、たとえば、畳込み符号と畳込み−リードソロモン連接符号を切り替える伝送路符号の変更方法、８ＰＳＫや１６ＱＡＭを選択可能とする変調方式の変更方法などを、上記方法に代えて、または、上記方法とともに用いることができる。
【０１２３】
また、上記実施の形態においては、送信局１００において１個のデータを４個のデータに変換する直並列変換器１０５を用いたが、この送信局１００においては、１個のデータを任意の整数個のデータに変換する直並列変換器を用いることもできる。
【０１２４】
また、上記実施の形態においては、送信局１００において、４個のスイッチと４個の可変並直列変換器とを用いたが、この送信局１００においては、任意の整数個のスイッチと任意の整数個の可変並直列変換器とを用いることもできる。この場合は、Ｎの値が０以上の任意の整数となり、可変直並列変換手段は、１個のデータをＭ個（Ｍは２以上の整数）のデータに変換することとなる。なお、この場合であっても、Ｎ、Ｍの値などは制御器１２０によって制御される。
【０１２５】
また、上記実施の形態においては、送信局１００において４系統の変調信号を加算合成する合成器１１８を用いたが、この送信局１００においては、任意の系統数の変調信号を加算合成する合成器を用いることもできる。
【０１２６】
また、上記実施の形態においては、受信局２００において４個のデータを１個のデータに変換する並直列変換器２１５を用いたが、この受信局２００においては、任意の整数個のデータを１個のデータに変換する並直列変換器を用いることもできる。
【０１２７】
また、上記実施の形態においては、受信局２００において、４個のスイッチと４個の可変直並列変換器とを用いたが、この受信局２００においては、任意の整数個のスイッチと任意の整数個の可変直並列変換器とを用いることもできる。この場合は、Ｎの値が０以上の任意の整数となり、可変並直列変換手段は、Ｍ個（Ｍは２以上の整数）のデータを１個のデータに変換することとなる。なお、この場合であっても、Ｎ、Ｍの値などは制御器２２０によって制御される。
【０１２８】
また、上記実施の形態においては、受信局２００において受信信号を４系統に分配する分配器２０２を用いたが、この受信局２００においては、受信信号を任意の系統数に分配する分配器を用いることもできる。
【０１２９】
なお、本実施の形態においては、送信局１００の直並列変換器１０５の前段に可変インターリーバ１０４、可変符号器１０３、スクランブラ１０１を接続したが、この送信局１００の直並列変換器１０５の前段には、可変インターリーバ１０４のみを接続してもよいし、可変符号器１０３のみを接続してもよいし、スクランブラ１０１のみを接続してもよいし、可変インターリーバ１０４と可変符号器１０３を接続してもよいし、可変インターリーバ１０４とスクランブラ１０１を接続してもよい。
【０１３０】
同様に、受信局２００の並直列変換器２１５の後段には、可変デインターリーバ２１６のみを接続してもよいし、可変復号器２１７のみを接続してもよいし、デスクランブラ２１８のみを接続してもよいし、可変デインターリーバ２１６と可変復号器２１７を接続してもよいし、可変デインターリーバ２１６とデスクランブラ２１８を接続してもよい。
【０１３１】
さらに、上述した実施の形態においては、送信局１００の制御器１２０と受信局２００の制御器２２０とによる制御の手順があらかじめ一定の手順に定められている場合について説明したが、本発明は、当該制御の手順をあらかじめ定められた一定の手順に限定するものではない。したがって、本発明においては、通信中に送信局−受信局間で制御情報を交換することによって、当該制御の手順を適宜変更することもできる。
【０１３２】
なお、上述した実施の形態においては、送信局１００と受信局２００とが別個の装置である場合について説明したが、本発明の実施の形態に係るマルチキャリア伝送システムは、図４に示すように、送信局１００と受信局２００の構成を併せ持ち送受信局として機能する本発明の実施の形態に係るマルチキャリア伝送装置によっても実現することができる。
【０１３３】
【発明の効果】
以上説明したように、本発明によれば、不正な傍受や妨害を試みる者に対して無線信号の受信自体を困難にするとともに、変更可能なパラメータを増加させることができる。したがって、本発明によれば、無線通信の秘匿性および耐妨害性の高い無線通信システムを実現できる。
【０１３４】
また、本発明によれば、データの送出順序も通信中に変換させることができるため一層傍受が困難となるとともに、いずれかの搬送波が妨害を受けた際のデータ誤りを散発化させるため妨害の影響を緩和できる。
【０１３５】
また、本発明によれば、符号化方式も通信中に変化させることができるため一層傍受が困難となるとともに、妨害を受けた場合のデータ誤りを訂正できるため高い伝送品質が得られる。
【０１３６】
また、本発明によれば、スクランブルパターンも通信中に変化させることができるためパラメータの数が一層増加し一層傍受が困難となる。
【図面の簡単な説明】
【図１】本発明の実施の形態に係るマルチキャリア伝送システムにおける、送信局１００の構成および受信局２００の構成を示す図である。
【図２】本発明の実施の形態に係る送信局１００の制御器１２０と受信局２００の制御器２２０とによる同期した制御の手順、および、本発明の実施の形態に係る送受信信号の周波数スペクトラムの時間的変化を説明するための図である。
【図３】本発明に係るマルチキャリア伝送システムの実施形態を示す全体図である。
【図４】本発明の実施の形態に係るマルチキャリア伝送装置によって実現される、本発明の実施の形態に係るマルチキャリア伝送システムを示す図である。
【図５】スクランブルを用いる従来の無線通信システムの基本的な構成を示す図である。
【符号の説明】
１００、３００    送信局
２００、４００    受信局
１０１、３０１    スクランブラ
１０２、２１９    可変擬似ランダムパターン発生器
１０４    可変インターリーバ
１０５    直並列変換器
１０６〜１０９，２１１〜２１４    スイッチ
１１０〜１１３    可変並直列変換器
１１４〜１１７    可変変調器
１１８    合成器
１１９、２０１、３０４、４０１    アンテナ
１２０、２２０    制御器
２０２    分配器
２０３〜２０６    可変復調器
２０７〜２１０    可変直並列変換器
２１５    並直列変換器
２１６    可変デインターリーバ
２１７、４０３    デスクランブラ
３０２、４０４    擬似ランダムパターン発生器
３０３    変調器
４０２    復調器
【図１】
2004349787.tif 000003
【図２】
2004349787.tif 000004
【図３】
2004349787.tif 000005
【図４】
2004349787.tif 000006
【図５】
2004349787.tif 000007